(57)【要約】【課題】  狭範囲の手術において切開部分近傍の施術スペースを広く確保することができ、かつ、着脱操作の使い勝手の良い狭範囲手術用開創器を提供すること。【解決手段】  弾性線材からなる線バネ１を、凸端11を折曲して、かつ、この凸端11の両側から対称的に延成される腕部12の中間にそれぞれカーブ12ａを形成する一方、この線バネ１の各先端13には、線材を折曲してなる左右一対のツマミ部２をそれぞれ外側に膨出して対称的に配設するとともに、これら各ツマミ部２の基端部21と前記線バネ１の先端13とを固定して、かつ、当該ツマミ部２の先端部22と板体３の側縁31における上角部31ａとを固定して、当該板体３を垂下方向に拡開状態で支持して、前記ツマミ部２が指腹で摘まれるとき、線バネ１が弾性変形して前記板体３・３の対向面同士を当接可能にする。【選択図】  図１
2019088353.tif 000002
【特許請求の範囲】
【請求項１】
弾性線材からなる線バネ（１）は、凸端（11）が折曲され、かつ、この凸端（11）の両側から対称的に延成される腕部（12）の中間にそれぞれカーブ（12ａ）が形成されている一方、
この線バネ（１）の各先端（13）には、線材を折曲してなる左右一対のツマミ部（２）がそれぞれ外側に膨出して対称的に配設されているとともに、
これら各ツマミ部（２）の基端部（21）と前記線バネ（１）の先端（13）とが固定され、かつ、当該ツマミ部（２）の先端部（22）と板体（３）の側縁（31）における上角部（31ａ）とが固定されて、当該板体（３）が垂下方向に拡開状態で支持されており、前記ツマミ部（２）が指腹で摘まれるとき、線バネ（１）が弾性変形して前記板体（３・３）の対向面同士が当接可能であることを特徴とする狭範囲手術用開創器。
【請求項２】
線バネ（１）本体およびツマミ部（２）本体は、側面視において線バネ（１）の凸端（11）および板体（３）の上角部（31ａ）を結ぶ直線を挟んで板体（３）の反対側に位置していることを特徴とする請求項１記載の狭範囲手術用開創器。
【請求項３】
ツマミ部（２）の側方に折曲部（23）が形成されていることを特徴とする請求項１または２記載の狭範囲手術用開創器。
【請求項４】
板体（３）の下端部（32）に外側に末広がりな係止部が形成されていることを特徴とする請求項１〜３の何れか一つに記載の狭範囲手術用開創器。
【請求項５】
線バネ（１）とツマミ部（２）とが、同一線材により一体成形されていることを特徴とする請求項１〜４の何れか一つに記載の狭範囲手術用開創器。
【請求項６】
ツマミ部（２）がコの字型またはＵ字型の線材であることを特徴とする請求項１〜５の何れか一つに記載の狭範囲手術用開創器。
【発明の詳細な説明】
【技術分野】
【０００１】
本発明は、医療用器具の改良、更に詳しくは、狭範囲の手術において切開部分近傍の施術スペースを広く確保することができ、かつ、着脱操作の使い勝手の良い狭範囲手術用開創器に関するものである。
【背景技術】
【０００２】
外科手術において切開部位を広げた状態で保持しておくためには、助手が横に立って鉤引きを行う必要があるが、バネ指（弾撥指）の手術のような切開範囲が狭い場合においては、助手の身体や鉤引きの器具が術者の邪魔になってしまい、作業性が悪いという問題がある。
【０００３】
そこで、従来、助手を必要としない開創器として、反発力を有する対向するアームの先端にブレードを備えた開創器が開示されている（例えば、特許文献１参照）。
【０００４】
しかしながら、この＜特許文献１＞の開創器は、１箇所で折曲されて対向部分が直線状であるアーム形状しか開示されていないことから、かかる構造から推察するに、アームからブレードが垂下されていると、アームの直線部分が切開部分近傍に存在してしまい、施術スペースが十分に確保できず、施術作業の際に術者が使用する他の器具がアームに接触するおそれがあり、接触しないように余計な注意が必要となり、非常に煩わしいという不満がある。
【０００５】
また、アームが直線状である場合は、皮膚の起伏においてアームの一部が皮膚に接触すると、この接点がテコの支点となってしまい、不安定になってこの開創器が動いてしまったり、ブレードが浮き上がって切開部分から抜けてしまうおそれもある。
【０００６】
更にまた、直線状アームと皮膚との間には十分な隙間がないため、着脱操作を行うためにアームを摘むとき、術者の摘んだ指先が切開部分近傍の皮膚を不必要に押圧してしまい、出血や痛みを与えてしまうおそれがある。
【０００７】
この点を改善するためか、同文献の実施形態には、操作性を向上させるために、別部材であるリング状の操作摘み部を付設するものが開示されているが、溶着加工等によって製造コストが増大してしまうし、使用を重ねるうちにこの溶着部分の破断してしまうおそれがある。
【０００８】
更に、アームが直線状である場合、リング状の操作摘み部を機能させるためには、同文献に図示されているとおり、不可避的にアーム上におけるブレードの反対側に起立して付設せざるを得ず、こうしてブレードの反対側に操作摘み部が突出すると、操作摘み部が施術の際に邪魔になるという問題もある。しかも、操作摘み部を摘んだ場合には、アームを軸回転方向にねじる力がかかるため、アームが弾性変形してブレードの下端部同士が外側にハの字型に離れてしまい、切開部分へのブレードの挿入を円滑に行うことができないおそれがある。かと言って、軸のねじれを防止するためにアームの剛性を大きくすると、ブレードを閉じる際に必要な力が大きくなって操作性が悪くなるとともに、弾性復元力が強くなり過ぎて、切開部分を必要以上に開いてしまうという問題もある。
【先行技術文献】
【特許文献】
【０００９】
【特許文献１】特開２００７−４４２６６号公報
【発明の概要】
【発明が解決しようとする課題】
【００１０】
本発明は、従来の開創器に上記のような問題があったことに鑑みて為されたものであり、その目的とするところは、狭範囲の手術において切開部分近傍の施術スペースを広く確保することができ、かつ、着脱操作の使い勝手の良い狭範囲手術用開創器を提供することにある。
【課題を解決するための手段】
【００１１】
本発明者が上記技術的課題を解決するために採用した手段を、添付図面を参照して説明すれば、次のとおりである。
【００１２】
即ち、本発明は、弾性線材からなる線バネ１を、凸端11を折曲して、かつ、この凸端11の両側から対称的に延成される腕部12の中間にそれぞれカーブ12ａを形成する一方、
この線バネ１の各先端13には、線材を折曲してなる左右一対のツマミ部２をそれぞれ外側に膨出して対称的に配設するとともに、
これら各ツマミ部２の基端部21と前記線バネ１の先端13とを固定して、かつ、当該ツマミ部２の先端部22と板体３の側縁31における上角部31ａとを固定して、当該板体３を垂下方向に拡開状態で支持して、前記ツマミ部２が指腹で摘まれるとき、線バネ１が弾性変形して前記板体３・３の対向面同士を当接可能にするという技術的手段を採用したことによって、狭範囲手術用開創器を完成させた。
【００１３】
また、本発明は、上記課題を解決するために、必要に応じて上記手段に加え、線バネ１本体およびツマミ部２本体を、側面視において線バネ１の凸端11および板体３の上角部31ａを結ぶ直線を挟んで板体３の反対側に位置させるという技術的手段を採用することもできる。
【００１４】
更にまた、本発明は、上記課題を解決するために、必要に応じて上記手段に加え、ツマミ部２の側方に折曲部23を形成するという技術的手段を採用することもできる。
【００１５】
更にまた、本発明は、上記課題を解決するために、必要に応じて上記手段に加え、板体３の下端部32に外側に末広がりな係止部を形成するという技術的手段を採用することもできる。
【００１６】
更にまた、本発明は、上記課題を解決するために、必要に応じて上記手段に加え、線バネ１とツマミ部２とを、同一線材により一体成形するという技術的手段を採用することもできる。
【００１７】
更にまた、本発明は、上記課題を解決するために、必要に応じて上記手段に加え、ツマミ部２をコの字型またはＵ字型の線材にするという技術的手段を採用することもできる。
【発明の効果】
【００１８】
本発明は、弾性線材からなる線バネを、凸端を折曲して、かつ、この凸端の両側から対称的に延成される腕部の中間にそれぞれカーブを形成する一方、この線バネの各先端には、線材を折曲してなる左右一対のツマミ部をそれぞれ外側に膨出して対称的に配設するとともに、これら各ツマミ部の基端部と前記線バネの先端とを固定して、かつ、当該ツマミ部の先端部と板体の側縁における上角部とを固定して、当該板体を垂下方向に拡開状態で支持して、前記ツマミ部が指腹で摘まれるとき、線バネが弾性変形して前記板体の対向面同士を当接可能にすることによって、狭範囲の手術において切開部分近傍の施術スペースを広く確保することができる。
【００１９】
また、線バネの腕部に形成したカーブにより、板体の対向面同士を安定的に当接させることができ、着脱操作もスムースに行うことができて使い勝手が良い。
【００２０】
更にまた、線バネ本体およびツマミ部本体を、側面視において線バネの凸端および板体の上角部を結ぶ直線を挟んで板体の反対側に位置させることによって、患者の皮膚との間にスペースができるため、ツマミ部を指腹で摘んで着脱操作する際に、術者の指先が皮膚を無理に押圧するのを防止することができ、出血や痛みを与えてしまうこともないことから、産業上の利用価値は頗る大きい。
【図面の簡単な説明】
【００２１】
【図１】本発明の実施形態の開創器を表わす全体斜視図である。
【図２】本発明の実施形態の開創器を表わす平面図である。
【図３】本発明の実施形態の開創器を表わす底面図である。
【図４】本発明の実施形態の開創器を表わす正面図である。
【図５】本発明の実施形態の開創器を表わす背面図である。
【図６】本発明の実施形態の開創器を表わす右側面図である。
【図７】本発明の実施形態の開創器の変形例を表わす背面図である。
【図８】本発明の実施形態の開創器の使用状態を表わす上面図である。
【図９】本発明の実施形態の開創器の使用状態を表わす側面図である。
【図１０】本発明の実施形態の開創器の変形例を表わす側面図である。
【図１１】本発明の実施形態の開創器の使用状態を表わす上面図である。
【発明を実施するための形態】
【００２２】
本発明の実施形態を図１から図１１に基づいて説明する。図１中、符号１で指示するものは線バネであり、符号２で指示するものはツマミ部である。また、符号３で指示するものは板体である。なお、図２から図６は本発明の開創器の六面図である。
【００２３】
本発明の狭範囲手術用開創器の構成について以下に説明する。まず、弾性線材からなる線バネ１を、凸端11を折曲する。本実施形態では、弾性線材として金属（例えば、防錆ステンレス）を採用し、凸端11を略Ｕ字状に折曲したものが好ましい。丸みを帯びていることにより、安全性が高いとともに、反復する弾性変形に対しても材料疲労や局部的な負荷による塑性変形や脆性破壊などが起こり難く形態安定性が高い。
【００２４】
また、前記凸端11の両側から対称的に延成される腕部12の中間にそれぞれカーブ12ａを形成する。このカーブ12ａは、所定範囲を緩やかに曲げて角度を付与するものや、一部分を折曲して角度を付与することができ、側面視において約１２０〜１７０°の範囲が好ましい。こうすることにより、線バネ１の凸端11を支点、ツマミ部２を力点、板体３を作用点として、線バネ１を撓曲（弾性変形）させる場合に、これら３点のズレによって、板体３の開閉軌道を同一平面の円弧軌道上から偏倚させることができ、板体３・３の対向面同士をなるべく平行に近い角度で移動させて安定的に当接させることができる。
【００２５】
そして、この線バネ１の各先端13には、線材を折曲してなる左右一対のツマミ部２をそれぞれ外側に膨出して対称的に配設する。こうすることによって、この膨出部分に施術スペースを作出することができる。
【００２６】
また、本実施形態では、ツマミ部２をコの字型またはＵ字型の線材にすることができ、術者が摘みやすく、操作性を向上させることができる。
【００２７】
次に、これら各ツマミ部２の基端部21と前記線バネ１の先端13とを固定する。本実施形態では、線バネ１とツマミ部２とを、同一線材により一体成形することができ、加工を簡素化して製造コストを下げることができる。
【００２８】
そして、当該ツマミ部２の先端部22と板体３の側縁31における上角部31ａとを固定して、当該板体３が垂下方向に拡開状態で支持する。このようにツマミ部２と板体３とは端部同士で固定することにより、両部材をできるだけ離すことができ、板体３の切開部分への挿入に対して、ツマミ部２の干渉を最小限にすることができる。
【００２９】
本実施形態では、図７に示すように、板体３の下端部32に外側に末広がりな係止部を形成することができ、切開部分から抜け難く、かつ、内部奥側に確実に係止させることができる。更に、この際、ツマミ部２と板体３とのなす角度を鋭角（好ましくは約８５°）にすることができ、板体３が内部で広がって係止力を上げることができる。
【００３０】
こうして開創器が構成されることによって、前記ツマミ部２が指腹で摘まれるとき、線バネ１が弾性変形して前記板体３・３の対向面同士が当接可能である（図８参照）。
【００３１】
更に、前記線バネ１本体およびツマミ部２本体は、側面視において線バネ１の凸端11および板体３の上角部31ａを結ぶ直線（図中の一点鎖線）を挟んで板体３の反対側に位置させることもできる（図９参照）。こうすることによって、患者の皮膚との間にスペースができるため、ツマミ部２を指腹で摘んで着脱操作する際に、術者の指先が皮膚を無理に押圧するのを防止することができる。本実施形態では、ツマミ部２の側方に折曲部23を形成することができ、このスペースを更に大きくすることができる。
【００３２】
なお、この際、図１０に示すように、側面視において線バネ１の凸端11および板体３の上角部31ａを結ぶ直線（図中の一点鎖線）と板体３の側縁31とのなす角度αを９０°よりも大きくすることによって、切開部分への着脱操作時の使い勝手をより向上させることができる。
【００３３】
以上のように構成された本発明の開創器は、ツマミ部２・２を摘んで板体３・３の対向面同士を当接させ、この当接状態の板体３・３を切開部分Ｐに挿入した後、弾性復元により拡開させることによって、切開部分Ｐの近傍に十分な施術スペースを形成しつつ、切開部分Ｐを広げた状態で保持することができる（図１１参照）。
【００３４】
本発明は、概ね上記のように構成されるが、図示の実施形態に限定されるものでは決してなく、「特許請求の範囲」の記載内において種々の変更が可能であって、例えば、線バネ１の凸端11の形状は略Ｕ字状に限らず、Ｖ字状やコの字状、Ｗ字状などを採用することができる。
【００３５】
また、線バネ１、ツマミ部２および板体３の結合は一体成形や、溶接、貼着、接着剤などの手段を採用することができる。
【００３６】
更にまた、線バネ１およびツマミ部２の使用材料は、金属に限らず他の弾性材料を採用することができるし、板体３も大きさや形状などを設計変更することができ、これら何れのものも本発明の技術的範囲に属する。
【符号の説明】
【００３７】
１    線バネ
11    凸端
12    腕部
12ａ  カーブ
13    先端
２    ツマミ部
21    基端部
22    先端部
23    折曲部
３    板体
31    側縁
31ａ  上角部
32    下端部
Ｐ    切開部分
【図１】
2019088353.tif 000003
【図２】
2019088353.tif 000004
【図３】
2019088353.tif 000005
【図４】
2019088353.tif 000006
【図５】
2019088353.tif 000007
【図６】
2019088353.tif 000008
【図７】
2019088353.tif 000009
【図８】
2019088353.tif 000010
【図９】
2019088353.tif 000011
【図１０】
2019088353.tif 000012
【図１１】
2019088353.tif 000013